(57)【要約】      （修正有）【課題】略々水平な状態から上下回動可能としたボトムを所定の回動状態で保持可能とすると共に、不用意な操作で、側部ボトムの保持状態が解除されないようにした入浴用ストレッチャーを提供する。【解決手段】キャスターを設けて移動可能としたベース２にマスト３を立設する。また、該マストによって入浴者の乗るボトムを支持する。さらに、該ボトムを中間ボトム６の両側部に側部ボトム５を連設すると共に少なくとも側部ボトムが上下回動可能になるよう構成する。また、側部ボトムを所定の回動状態で適宜保持する保持手段７を設ける。そして、該保持手段のロック手段により側部ボトムの保持状態を保持する。さらに、操作レバー３３を操作すると、側部ボトムの保持状態が解除可能になるようにする。また、側部ボトムが略々水平な状態のときのみ、操作レバーと共に保持手段の連結杆を操作することで、側部ボトムを下方回動可能にする。【選択図】図２
2008005858.tif 000002
【特許請求の範囲】
【請求項１】
移動可能となるよう構成したベースにマストが立設され、該マストによって入浴者の乗るボトムが支持され、さらに、該ボトムを中間ボトムの両側部に側部ボトムを連設すると共に少なくとも前記側部ボトムが上下回動可能になるよう構成してなる形態の入浴用ストレッチャーにおいて、前記側部ボトムを所定の回動状態で適宜保持する保持手段を設け、操作レバーの操作により、保持手段のロック状態が解除され、側部ボトムが回動可能になるよう構成する一方、側部ボトムを上方回動状態から下方回動するときには、該側部ボトムが略々水平な状態までの適所で保持されるよう構成し、側部ボトムが略々水平な状態では、前記操作レバーの操作だけでは側部ボトムを下方回動できないよう構成したことを特徴とする入浴用ストレッチャー。
【請求項２】
前記保持手段にロック手段を設け、このロック手段により、側部ボトムの保持状態を保持する構成とすると共に、前記操作レバーを回動操作することで、ロック手段によるロック状態が解除されて、側部ボトムの保持状態が解除可能になるようにし、さらに、前記操作レバーの回動操作と共に、当該保持手段を構成する連結杆の回動操作をすることで、側部ボトムを略々水平な状態から下方回動可能になるようにしたことを特徴とする請求項１に記載の入浴用ストレッチャー。
【請求項３】
前記操作レバーを前記側部ボトムの下方へ突出するように設け、さらに、該操作レバーを上方回動操作することで、保持手段のロック状態の解除を行うようにしたことを特徴とする請求項１又は請求項２に記載の入浴用ストレッチャー。
【請求項４】
頭受けにレバー部材を回動可能に組付けてなる延長手段を設け、該頭受けを前記側部ボトムに組付けるときに、前記レバー部材に設けた連結部に前記操作レバーを嵌入して、レバー部材と操作レバーを連結するようにしたことを特徴とする請求項１から請求項３の何れか一つに記載の入浴用ストレッチャー。
【発明の詳細な説明】
【技術分野】
【０００１】
本発明は、入浴用ストレッチャーに関するものである。
【背景技術】
【０００２】
従来の移動可能なベースに立設したマストによって入浴者の乗るボトムを支持した形態の入浴用ストレッチャーには次のようなものがある。
まず、第一の形態の入浴用ストレッチャーでは、キャスターを設けて移動可能としたベースに、昇降手段を具備したマストが立設されている。そして、前記マストに固定したアームに前記中間ボトムが固定されている。また、二つの側部ボトムを中間ボトムの両側部に回動可能に組付けることで、ボトムが構成されている。さらに、側部ボトムは枕と足受けがそれぞれ取付け可能にされており、どちらの側部ボトムも入浴者の背部を支持する背ボトム又は脚部を支持する脚ボトムとして使用可能にされている。また、前記側部ボトムとアームの間には、少なくとも中間ボトムと側部ボトムが同一平面を形成する略々水平な状態と側部ボトムが上方回動した状態で、該側部ボトムを保持する保持手段がそれぞれ構成されている。
この入浴用ストレッチャーは、ボトムを浴槽上方に配置した後に、浴槽又はボトムを昇降して、浴槽と背ボトムとして用いる側部ボトムを接触させ、相対的に浴槽が該側部ボトムを押し上げることで、該側部ボトムを上方回動するよう構成している（例えば、特許文献１参照。）。
【０００３】
また、第二の形態の入浴用ストレッチャーは、上述した第一の形態の入浴用ストレッチャーと略々同様な構成となっており、少なくとも中間ボトムと側部ボトムが同一平面を形成する略々水平な状態と側部ボトムが上方回動した状態で、該側部ボトムを保持する保持手段を具備している。そして、該保持手段は、側部ボトムを上方回動することで、該側部ボトムの保持状態を解除し、側部ボトムを所定の状態まで上方回動すると、自動的に該側部ボトムをその状態で保持する構成としている（例えば、特許文献２参照。）。
【特許文献１】特開２００２−１１９５６９号公報
【特許文献２】実開昭６２−１４２３３６号公報
【発明の開示】
【発明が解決しようとする課題】
【０００４】
すなわち、第一及び第二の形態の入浴用ストレッチャーは共に、側部ボトムを上方回動することで、保持手段による側部ボトムの保持状態を解除できるように構成されている。このことから、移動中に側部ボトムが障害物に接触したり、介護中に介護者が側部ボトムに接触したりすることで、側部ボトムが回動される場合がある。そのため、ボトム上に乗っている入浴者に不快感を感じさせてしまう問題がある。また、入浴者をボトムに乗せたりボトムから降ろしたりするときに、不用意に側部ボトムが回動される場合もあり、危険である。
そこで、本発明が解決しようとする課題は、略々水平な状態から上方及び下方回動可能とした側部ボトムを所定の回動状態で保持可能とすると共に、不用意な操作の場合に、側部ボトムの保持状態が解除されないようにした保持手段を具備した入浴用ストレッチャーを提供することを課題とする。
【課題を解決するための手段】
【０００５】
請求項１の発明は、移動可能となるよう構成したベースにマストが立設され、該マストによって入浴者の乗るボトムが支持され、さらに、該ボトムを中間ボトムの両側部に側部ボトムを連設すると共に少なくとも前記側部ボトムが上下回動可能になるよう構成してなる形態の入浴用ストレッチャーにおいて、前記側部ボトムを所定の回動状態で適宜保持する保持手段を設け、操作レバーの操作により、保持手段のロック状態が解除され、側部ボトムが回動可能になるよう構成する一方、側部ボトムを上方回動状態から下方回動するときには、該側部ボトムが略々水平な状態までの適所で保持されるよう構成し、側部ボトムが略々水平な状態では、前記操作レバーの操作だけでは側部ボトムを下方回動できないよう構成したことを特徴とする。
請求項２の発明は、前記保持手段にロック手段を設け、このロック手段により、側部ボトムの保持状態を保持する構成とすると共に、前記操作レバーを回動操作することで、ロック手段によるロック状態が解除されて、側部ボトムの保持状態が解除可能になるようにし、さらに、前記操作レバーの回動操作と共に、当該保持手段を構成する連結杆の回動操作をすることで、側部ボトムを略々水平な状態から下方回動可能になるようにしたことを特徴とする。
請求項３の発明は、前記操作レバーを前記側部ボトムの下方へ突出するように設け、さらに、該操作レバーを上方回動操作することで、保持手段のロック状態の解除を行うようにしたことを特徴とする。
請求項４の発明は、頭受けにレバー部材を回動可能に組付けてなる延長手段を設け、該頭受けを前記側部ボトムに組付けるときに、前記レバー部材に設けた連結部に前記操作レバーを嵌入して、レバー部材と操作レバーを連結するようにしたことを特徴とする。
【発明の効果】
【０００６】
請求項１の発明によれば、操作レバーの操作を行わない限り、側部ボトムを回動できない。したがって、移動中や介護中等に障害物や介護者等が側部ボトムに接触したときに、該側部ボトムは不用意に回動されない。よって、ボトムに乗っている入浴者に不快感を感じさせないようにできる。また、入浴者がボトム上で安全かつ快適に過ごせる。さらに、入浴者のボトムへの乗せ降ろしも安全に行える。
また、操作レバーを操作しただけでは、側部ボトムを略々水平な状態から下方回動できない構成となっている。したがって、不注意により、頭が腰より低い位置になるような腰等に負担がかかる姿勢に入浴者がなることを防げることから、安全に側部ボトムを上方回動できる。
【０００７】
また、請求項２の発明によれば、ロック手段により、保持手段による側部ボトムの保持状態が不用意に解除されない。すなわち、側部ボトムは不用意に回動されない。また、操作レバーを回動操作して、ロック手段によるロック状態を解除しても、側部ボトムの保持状態は解除されない。したがって、ロック状態を解除した保持手段によって保持する側部ボトムが急に下方回動することはないので、安全である。さらに、操作レバーの回動操作により、ロック手段によるロック状態を解除しただけでは、側部ボトムを略々水平な状態から下方回動できない。操作レバーと共に連結杆の回動操作を行うことで、側部ボトムを略々水平な状態から下方回動可能になる。すなわち、側部ボトムを略々水平な状態から下方回動するためには、二つの部材を操作する必要がある。このことから、入浴者の背部が位置する側部ボトムを、不注意で略々水平な状態から下方回動してしまうことを防げる。
【０００８】
さらに、請求項３の発明によれば、ボトムを浴槽上方に配置した後に、浴槽又は当該入浴用ストレッチャーに設けた昇降手段を用いて、相対的にボトムを浴槽内へ移動する。このとき、側部ボトムの下方へ突出するように設けた操作レバーが浴槽上縁部に接触する。これにより、自動的に保持手段のロック状態が解除される。このことから、側部ボトムは浴槽上縁部に沿って上方回動される。これと共に、側部ボトムは浴槽によって上方回動状態で保持される。すなわち、あらかじめ浴槽の形状にあわせて側部ボトムを上方回動しておく必要がないことから、介護者の手間が省ける。また、上述したように、当該保持手段はロック状態を解除しただけでは、側部ボトムを略々水平な状態から下方回動できない。このことから、このように使用した後に、相対的にボトムを浴槽上方へ移動しても、側部ボトムは下方回動状態にならない。したがって、このように当該入浴用ストレッチャーを用いても安全である。
また、操作レバーを回動操作する方向と、側部ボトムに作用する入浴者の荷重を支える方向が同方向となることから、側部ボトムの回動操作を自然な動作として行える。
【０００９】
請求項４の発明によれば、相対的に浴槽内へボトムを移動したときに、浴槽上縁部に操作レバーが届かない場合でも、延長手段のレバー部材が浴槽上縁部に接触することで、前記操作レバーを操作できる。したがって、このような場合でも、請求項３の発明と同様の効果を得ることができる。
【発明を実施するための最良の形態】
【００１０】
入浴用ストレッチャーにおいて、キャスター等を設けて移動可能としたベースに、昇降手段を具備したマストを立設する。また、該マストによって入浴者の乗るボトムを支持する。さらに、該ボトムを、中間ボトムの両側部に側部ボトムを連設すると共に少なくとも前記側部ボトムが上下回動可能になるよう構成する。また、側部ボトムを所定の回動状態で適宜保持する保持手段を設ける。そして、該保持手段を次のような構成とする。まず、保持手段に設けたロック手段によって、側部ボトムの保持状態を保持する構成とする。また、操作レバーを上方回動操作することで、ロック手段によるロック状態が解除されて、側部ボトムの保持状態が解除可能になるようにする。さらに、側部ボトムが略々水平な状態にあるときのみ、前記操作レバーの回動操作と共に、当該保持手段を構成する連結杆の回動操作をすることで、側部ボトムを下方回動することができる構成とする。また、前記操作レバーを側部ボトムの下方へ突出するように設ける。
【実施例１】
【００１１】
本発明に係る入浴用ストレッチャーの一実施例を図面に基づいて説明する。
この入浴用ストレッチャー１は、図１に示すように、移動可能にしたベース２と、該ベース２に立設したマスト３と、該マスト３に組付けた支持フレーム４と、該支持フレーム４に回動可能に組付けた二つの側部ボトム５，５と、該側部ボトム５，５間に組付けた中間ボトム６と、さらに、側部ボトム５，５と支持フレーム４間に構成した側部ボトム５，５を所定の回動状態で適宜保持するための保持手段７，７から主に構成されている。
【００１２】
まず、ベース２は、平面視において略々Ｈ字形状に構成されたフレーム２ａにキャスター２ｂ，２ｂ，・・・が設けられ、床上を移動可能にされたものである（図１及び図２参照。）。
続いて、マスト３は、外マスト３ａに内マスト３ｂが挿通されてなり、内部に構成された昇降手段（図示省略）によって、内マスト３ｂに対して外マスト３ａが昇降可能にされたものである（図２及び図１０の（ａ）参照。）。そして、このマスト３は、内マスト３ｂの下端を前記ベース２の取付ベース２ｃに螺子（図示省略）で止着することで、ベース２に立設している。
なお、昇降手段として、アクチュエーターを用い、該アクチュエーターを伸縮することで、内マスト３ｂに対して外マスト３ａが昇降されるようにしても良い。また、螺子軸とナット部材を用い、螺子軸に沿ってナット部材を移動することで、内マスト３ｂに対して外マスト３ａが昇降されるようにしても良い。すなわち、昇降手段は、内マスト３ｂに対して外マスト３ａを昇降可能な構成であれば良く、本実施例に限定するものではない。
【００１３】
次に、支持フレーム４は、所定間隔をおいて略々平行に配設された二つの支持パイプ４ａ，４ａの後部間に固着された連結桁４ｂ中間部に所定間隔をおいて支持柱４ｃ，４ｃが立設されたものである（図１参照。）。そして、この支持フレーム４は、前記支持柱４ｃ，４ｃ上端部を前記マスト３の外マスト３ａ前面上部に螺子８，８で止着することで、マスト３に取付けている。
なお、この支持フレーム４は、前記支持柱４ｃ，４ｃ上部を後方へ曲折した構成としており、マスト３に取付けたときに、図１０の（ａ）に示すように、支持フレーム４とマスト３間に空間Ｓが形成されるようにしている。これにより、支持フレーム４及び該支持フレーム４に組付けられる部材を浴槽Ｂ内へ移動するときに、前記空間Ｓ内に浴槽Ｂの一側壁が入り込め、前記各部材を浴槽Ｂ内へ移動可能にしている。また、支持フレーム４は、正面視において該支持フレーム４の中心線に対して左右対称になっている。
【００１４】
続いて、側部ボトム５は、図３に示すように平面視において略々コ字形状の枠フレーム５ａ両端を筒状の回動フレーム５ｂに固着してなるもので、入浴者の背部又は脚部を支持する。なお、他方の側部ボトム５は左右対称に構成されている（図１及び図２参照。）。
そして、この側部ボトム５，５は、前記支持フレーム４の支持パイプ４ａ，４ａに前記回動フレーム５ｂ，５ｂをそれぞれ外嵌めすることで、上下回動可能に支持フレーム４に組付けている。なお、９は前記支持パイプ４ａ，４ａ前端に止着された連結フレームである。該連結フレーム９は、側部ボトム５，５の支持フレーム４からの脱落防止と、前記支持パイプ４ａ，４ａの間隔を一定に保つためのものである（図１及び図３参照。）。
【００１５】
また、前記側部ボトム５，５は、頭受け１０と足柵１１がそれぞれ着脱可能になるよう構成されている（図１及び図２参照。）。
詳述すると、頭受け１０には係止軸１０ａ，１０ａが設けられている。そして、該係止軸１０ａ，１０ａを側部ボトム５の枠フレーム５ａの回動フレーム５ｂ取付け反対側に所定間隔をおいて固着されたボス部材５ｃ，５ｃに挿通する。その後、螺子やピン等で抜け止めすることで、頭受け１０は側部ボトム５に組付けられる。また、足柵１１にも係止軸１１ａ，１１ａが設けられており、該係止軸１１ａ，１１ａを側部ボトム５の前記ボス部材５ｃ，５ｃに挿通し、その後、螺子やピン等で抜け止めすることで、足柵１１は側部ボトム５に組付けられる。したがって、図１や図２に示す状態とは逆に、頭受け１０と足柵１１を入れ替えて側部ボトム５，５に組付けることが可能に、頭受け１０と足柵１１は構成されている（図１０の（ｄ）及び（ｅ）参照。）。
【００１６】
次に、中間ボトム６は、図１に示すように、前側フレーム１２と後側フレーム１３の両端部近傍に連結桁１４，１４を固着してなるもので、入浴者の臀部を支持する。なお、中間ボトム６は、正面視において該中間ボトム６の中心線に対して左右対称になっている（図２参照。）。
そして、この中間ボトム６は、連動機構１５，１５を介して前記側部ボトム５，５間に組付けている。該連動機構１５，１５では、側部ボトム５，５の回動フレーム５ｂ，５ｂ両端部に、前記枠フレーム５ａ，５ａと反対方向に突出するよう軸受板５ｄ，５ｄ，・・・が固着されている。また、中間ボトム６の前側フレーム１２と後側フレーム１３の両側部に、連結係合穴１２ａ，１２ａ，１３ａ，１３ａが穿たれている。そして、前記軸受板５ｄ，５ｄ，・・・と、該軸受板５ｄ，５ｄ，・・・に隣接する前記連結係合穴１２ａ，１２ａ，１３ａ，１３ａが互いに回動可能に連結軸１６，１６で連結されている（図１及び図３参照）。
また、該中間ボトム６と前記支持フレーム４間には規制手段１７が構成されている。該規制手段１７では、支持フレーム４の連結桁４ｂ中央部から下方へ突出するように固着したブラケット４ｄに、アーム１８後端部に固着したボス部材１８ａが軸材１９で回動可能に組付けられている。また、該アーム１８前端部に固着した軸材１８ｂが、中間ボトム６の連結桁１４，１４間に固着した補強フレーム２０の中央部下面に固着したプレート２１の係合穴２１ａに挿通されている（図３参照。）。
【００１７】
なお、連動機構１５，１５又は規制手段１７を構成する前記各軸材１６，１６，１８ｂと該各軸材１６，１６，１８ｂが挿通されている前記各係合穴１２ａ，１２ａ，１３ａ，１３ａ，２１ａとの間にブッシュ部材２２，２２，・・・，２３が位置するように、該ブッシュ部材２２，２２，・・・，２３が各軸材１６，１６，１８ｂに嵌められている。これにより、各軸材１６，１６，１８ｂに対して中間ボトム６が滑らかに動くようにしている。また、連動機構１５，１５は正面視において中間ボトム６の中心線に対して左右対称になっている。さらに、本実施例では、中間ボトム６の左側に設けた前記連結係合穴１２ａ，１３ａを正面視において左側下がりの略々へ字形状とし、右側に設けた前記連結係合穴１２ａ，１３ａを正面視において右側下がりの略々へ字形状とし、プレート２１に設けた係合穴２１ａを上下方向に長い長穴としている（図９参照。）。また、各ボトム５，５，６上にはマット（図示省略）を敷設している。さらに、どちらの側部ボトム５，５も、入浴者の背部を支持する背ボトム又は脚部を支持する脚ボトムとして使用可能としている（図１０の（ｂ）から（ｅ）参照。）。
【００１８】
続いて、上述のように組付けた各ボトム５，５，６の動きについて説明する。なお、ここでは、一方の側部ボトム５を背ボトムとし、他方の側部ボトム５を脚ボトムとして説明する。
まず、図９の（ａ）に示すように、背ボトム５と脚ボトム５が略々水平な状態では、中間ボトム６が連動機構１５，１５を介して略々水平な状態で保持されて、各ボトム５，５，６は略々同一平面を形成した状態になる。
そして、背ボトム５を上方回動すると、該背ボトム５を組付けた支持フレーム４の支持パイプ４ａを中心に、背ボトム５は上方回動する。すると、背ボトム５と中間ボトム６間に構成した連動機構１５が次のように動作される。まず、背ボトム５に設けた軸受板５ｄ，５ｄが下方回動され、連結軸１６も下方回動される。これに伴って、該連結軸１６は連結係合穴１２ａ，１３ａに沿って摺動しながら、中間ボトム６の背ボトム５側を押し下げる。これにより、中間ボトム６は、背ボトム５側が脚ボトム５と中間ボトム６間に構成した連動機構１５の連結軸１６を中心に下方へ回動される（図９の（ｂ）参照。）。なお、このとき、脚ボトム５は動作しない。
また、脚ボトム５を下方回動したときには、該脚ボトム５と中間ボトム６間に構成した連動機構１５が、上述の場合とは逆に作用する。すなわち、中間ボトム６は、脚ボトム５側が背ボトム５と中間ボトム６間に構成した連動機構１５の連結軸１６を中心に上方へ回動される（図９の（ｃ）参照。）。また、このとき、背ボトム５は動作しない。
【００１９】
すなわち、連動機構１５，１５は、側部ボトム５，５を回動する方向に応じて、中間ボトム６の回動した側部ボトム５，５隣接側が、回動した側部ボトム５，５の回動方向と反対方向に回動する構成となっている。つまり、この連動機構１５，１５は、回動する側部ボトム５，５に連動して中間ボトム６が傾斜するように動作する構成となっている。
また、図９の（ｂ）や（ｃ）に示すように、側部ボトム５，５を起伏したときに、二つの連結軸１６，１６が離間する。そして、該連結軸１６，１６と連結係合穴１２ａ，１２ａ，１３ａ，１３ａとの間における該連結軸１６，１６の左右に遊びＰ，Ｐ，・・・が生じる。けれども、規制手段１７は、中間ボトム６の回動に追従して、上下方向においてのみアーム１８が回動する構成としていることから、中間ボトム６が支持フレーム４に対して左右に動かないようにできる。つまり、連動機構１５，１５の非作動時において、連動機構１５，１５と規制手段１７は、中間ボトム６が支持フレーム４に対して動かないように該中間ボトム６を保持する構成となっている。
【００２０】
したがって、この連動機構１５，１５によると、側部ボトム５，５を起伏したときに、入浴者が足側へズレ動くことを防止できる。さらに、このとき、入浴者の膝が屈曲され、入浴者は自動的に安定した姿勢をとれる（図１０の（ｂ）から（ｅ）参照。）。
【００２１】
続いて、保持手段７，７について説明する。なお、保持手段７，７は左右対称の構成であり、ここでは、右側の側部ボトム５と支持フレーム４間に構成された保持手段７を用いて説明する。
この保持手段７は、図３及び図４に示すように、支持フレーム４の右側の前記支持柱４ｃ中間部に固着された基部材２４と、該基部材２４と側部ボトム５間に配設された連結杆２５と、ロック手段２６から構成されている。
まず、基部材２４には、係合穴２７が穿たれている。この係合穴２７は、右側下がりの第一長穴部２７ａと、該第一長穴部２７ａ下端部と連続する略々フ字形状をしたフ形穴部２７ｂと、該フ形穴部２７ｂ下端部と連続する右側下がりの第二長穴部２７ｃと、各長穴部２７ａ，２７ｃと連続する複数のフック穴部２７ｄ，２７ｄ，・・・からなる。また、基部材２４には、前記係合穴２７の下部左側に第一駒材２８が止着されると共に、前記係合穴２７の上部左側に第二駒材２９が止着され、さらに、前記係合穴２７の中間部左側に係止ピン３０が止着されている。
そして、連結杆２５の上端部に止着された係合軸２５ａが前記基部材２４の係合穴２７に挿通されると共に、該連結杆２５の下端部が側部ボトム５後部に固着されたボス部材５ｅに軸材３１で回動可能に組付けられている。なお、この連結杆２５は基部材２４に対して側部ボトム５を保持するためのものである。
【００２２】
また、ロック手段２６は、作動プレート３２と、操作レバー３３と、ロッド３４から主に構成されている。
まず、作動プレート３２には、前記基部材２４に設けた係合穴２７の第一長穴部２７ａと第二長穴部２７ｃに略々平行な右側下がりの長穴部３２ａが穿たれると共に、該長穴部３２ａの下部左側に左側下がりの略々へ字形状の第一案内穴３２ｂが穿たれている。さらに、この作動プレート３２には、前記長穴部３２ａの上部左側に左側下がりの長穴である第二案内穴３２ｃが穿たれると共に、前記長穴部３２ａの中間部左側に右側下がりの長穴である連結穴３２ｄが穿たれている。なお、前記第二案内穴３２ｃは、前記第一案内穴３２ｂの曲折部から下方の穴部に、平行に設けられている。そして、この作動プレート３２は、第一案内穴３２ｂに前記基部材２４の第一駒材２８が挿通され、第二案内穴３２ｃに基部材２４の第二駒材２９が挿通されて、該第一駒材２８と第二駒材２９に沿って摺動可能に配設されている。また、作動プレート３２の長穴部３２ａに前記連結杆２５の係合軸２５ａが挿通されている。なお、連結杆２５は、基部材２４と作動プレート３２との間に配置されている。
また、操作レバー３３は、平面視において略々コ字形状かつ背面視において略々へ字形状に構成されており、その後部側端部には側面視において略々コ字形状の連結プレート３５が固着されている。そして、この操作レバー３３の両端部近傍が、側部ボトム５の枠フレーム５ａの前部と後部の対向面側にそれぞれ固着されたボス部材５ｆ，５ｆに、軸材３６，３６で回動可能に組付けられている。なお、前記連結プレート３５後部の立上り部３５ａは側部ボトム５の後方に配置されている。また、操作レバー３３は側部ボトム５の頭受け１０或いは足柵１１取付側下方へ突出した状態で設けられている。
そして、ロッド３４の下端部が前記操作レバー３３の連結プレート３５の立上り部３５ａに固着された軸材３５ｂに回動可能に組付けられると共に、該ロッド３４の上端部に止着された連結軸３４ａが前記作動プレート３２の連結穴３２ｄに挿通されている。なお、ロッド３４は、基部材２４と作動プレート３２との間に配置されている。また、前記連結プレート３５の立上り部３５ａには、ロッド３４を挟むように補強プレート３７が螺子３８で止着されている。さらに、ロッド３４の連結軸３４ａを作動プレート３２の連結穴３２ｄ上端部に位置させるよう付勢力が作用するように、ロッド３４の上端部近傍に固着されたプレート３４ｂの基端部と作動プレート３２間に、弾性体３９が設けられている。また、ロッド３４を上方回動する方向に付勢力が作用するように、該ロッド３４のプレート３４ｂ端部と基部材２４の係止ピン３０間に、弾性体４０が設けられている。なお、弾性体３９，４０にはゴム又はバネ等を用いている。
【００２３】
このように構成された保持手段７は次のように作用する。
まず、図４に示す状態では、連結杆２５の係合軸２５ａが基部材２４に設けた係合穴２７の下方から三つ目のフック穴部２７ｄに係止している。すなわち、保持手段７は側部ボトム５を略々水平な状態で保持している。
また、この状態では、ロック手段２６は次のように作用している。まず、弾性体４０によりロッド３４は上方へ引き上げられた状態で保持されている。そして、該ロッド３４は作動プレート３２を押し上げた状態で保持している。すなわち、背面視において作動プレート３２の長穴部３２ａが基部材２４に設けた係合穴２７の全てのフック穴部２７ｄ，２７ｄ，・・・に重なった状態で、ロッド３４は作動プレート３２を保持している。これにより、連結杆２５の係合軸２５ａは、該係合軸２５ａが係止している前記フック穴部２７ｄと作動プレート３２の長穴部３２ａによって挟まれた状態になっている。すなわち、ロック手段２６は、係合軸２５ａがフック穴部２７ｄに係止した状態を保持するロック状態になっている。よって、保持手段７は、側部ボトム５を上下回動できないロック状態になっている。
【００２４】
そして、側部ボトム５を略々水平な状態から上方回動する場合には、まず、ロック手段２６の操作レバー３３を図５に示す矢印（イ）方向へ回動する。すると、操作レバー３３の連結プレート３５は下方回動する。これにより、ロッド３４は、作動プレート３２の連結穴３２ｄに沿って該ロッド３４の連結軸３４ａが摺動しながら、弾性体３９，４０の付勢力に抗して、引き下げられる。そして、側部ボトム５を少し上方回動すると、弾性体３９の付勢力により、作動プレート３２は、基部材２４の第一駒材２８と第二駒材２９に沿って第一案内穴３２ｂと第二案内穴３２ｃが摺動しながら、下方へ移動される。これに伴って、作動プレート３２の長穴部３２ａは連結杆２５の係合軸２５ａを押し下げる。これにより、連結杆２５が軸材３１を中心に回動されて該連結杆２５の係合軸２５ａが基部材２４に設けた係合穴２７の第一長穴部２７ａに移動される。これに伴って、作動プレート３２の長穴部３２ａが前記係合穴２７の第一長穴部２７ａと第二長穴部２７ｃに背面視において重なった状態になる（図５参照。）。すなわち、保持手段７は、操作レバー３３を回動操作することで、ロック状態が解除され、側部ボトム５を上方回動したときに、連結杆２５の係合軸２５ａが基部材２４の前記フック穴部２７ｄから抜け出て第一長穴部２７ａに沿って上方へ移動可能な状態になる（図５及び図７の（ａ）参照。）。なお、操作レバー３３を回動操作した場合には、ロック手段２６によるロック状態は解除されるが、連結杆２５の係合軸２５ａは前記係合穴２７のフック穴部２７ｄに係止されたままとなるので、側部ボトム５の自重等により、該側部ボトム５が下方回動してしまうことはない。また、上述のようにして保持手段７を図５に示す状態とした後に、側部ボトム５を下方回動しようとしても、連結杆２５の係合軸２５ａが前記係合穴２７の第一長穴部２７ａ下端部とフ形穴部２７ｂからなる爪部４１に引っ掛かる。よって、側部ボトム５は略々水平な状態から下方回動されない。
次に、側部ボトム５を上方回動状態で保持する場合には、上述した保持手段７のロック状態を解除した状態から、側部ボトム５を所望の上方回動状態より幾らか上方又は下方まで回動した後に、ロック手段２６の操作レバー３３の操作を止める。すると、弾性体３９，４０の付勢力により、ロッド３４は、該ロッド３４の連結軸３４ａが作動プレート３２の連結穴３２ｄに沿って摺動しながら、引き上げられる。そして、該ロッド３４の連結軸３４ａは、作動プレート３２を押し上げる方向にバネのように作用する状態になる。続いて、側部ボトム５を所望の上方回動状態になるよう下方又は上方回動する。すると、基部材２４に設けた係合穴２７のフック穴部２７ｄ，２７ｄ，・・・に連結杆２５の係合軸２５ａが係止する方向に連結杆２５が軸材３１を中心に回動可能な状態になると、作動プレート３２は、前記ロッド３４の連結軸３４ａの作用により、基部材２４の第一駒材２８と第二駒材２９に沿って第一案内穴３２ｂと第二案内穴３２ｃが摺動しながら、上方へ移動される。これに伴って、作動プレート３２の長穴部３２ａは連結杆２５の係合軸２５ａを押し上げる。これにより、連結杆２５が軸材３１を中心に回動されて、該連結杆２５の係合軸２５ａが基部材２４に設けた係合穴２７の下方から三つ目のフック穴部２７ｄより上方に位置する所望の上方回動状態で側部ボトム５を保持するフック穴部２７ｄ，２７ｄ，２７ｄの何れかに係止される。これに伴って、作動プレート３２の長穴部３２ａが前記係合穴２７のフック穴部２７ｄ，２７ｄ，・・・に背面視において重なった状態になる。すなわち、連結杆２５の係合軸２５ａは、該係合軸２５ａが係止したフック穴部２７ｄと作動プレート３２の長穴部３２ａにより挟まれた状態になる。よって、保持手段７は、上述したロック状態と同様に、側部ボトム５を上下回動できないロック状態になる（図７の（ｂ）参照。）。したがって、側部ボトム５は、保持手段７により、所望の上方回動状態かつ不用意に動くことのない状態で保持される。
【００２５】
続いて、図４に示す側部ボトム５が略々水平な状態から該側部ボトム５を下方回動する場合には、上述した側部ボトム５を上方回動する場合と同様に、ロック手段２６の操作レバー３３を回動操作して、保持手段７のロック状態を解除する（図５参照。）。そして、連結杆２５を図６に示す矢印（ロ）方向へ回動操作すると、連結杆２５は軸材３１を中心に回動して、該連結杆２５の係合軸２５ａが基部材２４に設けた爪部４１を迂回するように係合穴２７のフ形穴部２７ｂへ移動する。これに伴って、作動プレート３２は、弾性体３９の付勢力により、基部材２４の第一駒材２８と第二駒材２９に沿って第一案内穴３２ｂと第二案内穴３２ｃが摺動しながら、下方へ移動される。その後、該作動プレート３２は前記第二駒材２９を中心に回動される。そして、作動プレート３２の長穴部３２ａが前記係合穴２７のフ形穴部２７ｂに背面視において重なった図６に示す状態になる。
そして、上述のように保持手段７を操作した後に側部ボトム５を下方回動すると、連結杆２５の係合軸２５ａが基部材２４に設けた係合穴２７の前記フ形穴部２７ｂに沿って下方へ移動して、該係合穴２７の第二長穴部２７ｃへと移動する。これに伴って、作動プレート３２は基部材２４の第二駒材２９を中心に回動する。そして、該作動プレート３２の長穴部３２ａが基部材２４に設けた係合穴２７の第一長穴部２７ａと第二長穴部２７ｃに背面視において重なった状態になる（図８の（ａ）参照。）。続いて、側部ボトム５を所望の下方回動状態の近辺まで下方回動した後に、ロック手段２６の操作レバー３３の操作を止める。然る後、側部ボトム５を所望の下方回動状態になるよう回動する。すると、上述した側部ボトム５を所望の上方回動状態で保持する場合と同様に、ロック手段２６が作用して、連結杆２５の係合軸２５ａが基部材２４に設けた係合穴２７の下方から三つ目のフック穴部２７ｄより下方に位置する所望の下方回動状態で側部ボトム５を保持するフック穴部２７ｄ，２７ｄの何れかに係止される。これと共に、該係合軸２５ａは係止したフック穴部２７ｄと作動プレート３２の長穴部３２ａにより挟まれた状態になる。これにより、保持手段７は、側部ボトム５を上下回動できないロック状態になる（図８の（ｂ）参照。）。よって、側部ボトム５は、保持手段７により、所望の下方回動状態かつ不用意に動くことのない状態で保持される。
【００２６】
また、ロック手段２６の操作レバー３３と連結杆２５の回動操作が必要なのは、側部ボトム５を略々水平な状態から下方回動する場合のみであり、その他の場合には、前記操作レバー３３の操作のみで良い。
【００２７】
すなわち、この保持手段７は、基部材２４に設けた係合穴２７のフック穴部２７ｄ，２７ｄ，・・・の何れかに連結杆２５の係合軸２５ａが係止した状態において、側部ボトム５を該フック穴部２７ｄ，２７ｄ，・・・に対応した所定の回動状態で保持する構成となっている。さらに、この保持手段７は、ロック手段２６により、前記フック穴部２７ｄ，２７ｄ，・・・の何れかに前記係合軸２５ａが係止した状態を保持することで、側部ボトム５の保持状態を保持する構成となっている。
また、この保持手段７は、ロック手段２６の操作レバー３３を回動操作することで、連結杆２５の係合軸２５ａが係止している基部材２４に設けた係合穴２７のフック穴部２７ｄから該係合穴２７の他の穴部へ移動可能な状態になる構成となっている。つまり、それにより、保持手段７のロック状態が解除される。
さらに、この保持手段７は、ロック状態を解除した後に連結杆２５を回動操作して、該連結杆２５の係合軸２５ａを基部材２４に設けた係合穴２７のフ形穴部２７ｂへ移動することで、側部ボトム５を略々水平な状態から下方回動可能にする構成となっている。
また、この保持手段７は、側部ボトム５を上下回動しているときには、基部材２４に設けた係合穴２７のフック穴部２７ｄ，２７ｄ，・・・以外の穴部に沿って、連結杆２５の係合軸２５ａが移動する構成となっている。
そして、保持手段７のロック手段２６は、操作レバー３３を操作していない状態では、連結杆２５の係合軸２５ａを基部材２４に設けた係合穴２７のフック穴部２７ｄ，２７ｄ，・・・に係止する方向に連結杆２５が回動するように、作動プレート３２が前記係合軸２５ａに作用する構成となっている。また、ロック手段２６は、その状態かつ係合軸２５ａがフック穴部２７ｄ，２７ｄ，・・・の何れかに係止した状態では、フック穴部２７ｄ，２７ｄ，・・・に作動プレート３２の長穴部３２ａが背面視において重なった状態で、作動プレート３２を保持する構成となっている。さらに、ロック手段２６は、操作レバー３３を操作している状態では、連結杆２５の係合軸２５ａが係止している係合穴２７のフック穴部２７ｄから該係合穴２７の他の穴部へ移動する方向に連結杆２５が回動するように、作動プレート３２が前記係合軸２５ａに作用する構成となっている。なお、この状態では、少なくとも側部ボトム５の自重が前記連結杆２５に作用しており、作動プレート３２の係合軸２５ａへの作用だけでは、連結杆２５は回動されない。また、ロック手段２６は、その状態かつ係合軸２５ａが係合穴２７の第一長穴部２７ａ又は第二長穴部２７ｃに沿って移動する状態では、該第一長穴部２７ａ及び第二長穴部２７ｃに作動プレート３２の長穴部３２ａが背面視において重なった状態で、作動プレート３２を保持する構成となっている。さらに、ロック手段２６は、前記係合軸２５ａが係合穴２７のフ形穴部２７ｂに沿って移動するときには、該フ形穴部２７ｂに作動プレート３２の長穴部３２ａが背面視において重なるように、作動プレート３２が基部材２４の第二駒材２９を中心に回動する構成となっている。
なお、左側の側部ボトム５と支持フレーム４間に構成された保持手段７も、上述と同様の作用を示すものである。
【００２８】
したがって、この保持手段７，７によると、移動中や介護中等に障害物や介護者等が側部ボトム５，５に接触したときに、ロック手段２６，２６により、側部ボトム５，５の保持状態は不用意に解除されない。すなわち、側部ボトム５，５を所定の回動状態で保持できる。よって、ボトム５，５，６上に乗っている入浴者に不快感を感じさせないようにできる。また、入浴者がボトム５，５，６上で安全かつ快適に過ごせる。さらに、入浴者のボトム５，５，６への乗せ降ろしも安全に行える。
また、側部ボトム５，５の一方を上方回動した状態では、中間ボトム６に入浴者の荷重が大きく作用する。そして、その荷重が上方回動した側部ボトム５と中間ボトム６間に構成した連動機構１５と該側部ボトム５を介して該側部ボトム５を保持する保持手段７の連結杆２５に、係合軸２５ａが係止した基部材２４のフック穴部２７ｄから抜け出る方向に作用することになる。けれども、この保持手段７，７によると、ロック手段２６，２６によって、側部ボトム５，５の保持状態を保持できることから、安全である。
さらに、この保持手段７，７では、少なくとも側部ボトム５，５の自重が連結杆２５，２５に作用していることから、ロック状態を解除しただけでは、前記連結杆２５，２５が回動されずに、該連結杆２５，２５の係合軸２５ａ，２５ａが係合穴２７，２７のフック穴部２７ｄ，２７ｄ，・・・の何れかに係止されたままとなる。したがって、ロック状態を解除した保持手段７によって保持する側部ボトム５が急に下方回動することはないので安全である。
また、この保持手段７，７によると、ロック状態を解除すると共に、側部ボトム５，５を上方回動して後に、該側部ボトム５，５を所望の状態へと回動することになる。したがって、介護者が回動操作する側部ボトム５をしっかりと支えた状態で、該側部ボトム５の回動操作を行うようになるので、安全である。
さらに、この保持手段７，７によると、ロック状態を解除しただけでは、側部ボトム５，５を略々水平な状態から下方回動できない。すなわち、保持手段７，７のロック状態を解除しても、入浴者の荷重により、側部ボトム５，５は略々水平な状態から下方回動することがない。したがって、不注意により、頭が腰より低い位置になるような腰等に負担がかかる姿勢に入浴者がなることを防げることから、安全に側部ボトム５，５を上方回動できる。
また、側部ボトム５，５の一方を略々水平な状態から下方回動するためには、該側部ボトム５を保持する保持手段７のロック手段２６の操作レバー３３と該保持手段７の連結杆２５の二つの部材を操作する必要がある。このことから、入浴者の背部が位置する側部ボトム５を、不注意で略々水平な状態から下方回動してしまうことを防げる。
そして、この保持手段７，７は、ロック手段２６，２６の操作レバー３３，３３の操作方向を、図５に示す矢印（イ）方向すなわち上方回動方向として、側部ボトム５，５に作用する入浴者の荷重を支える方向と同方向になる構成としている。これにより、側部ボトム５，５の回動操作を自然な動作として行える。
【００２９】
なお、本実施例では、保持手段７，７の基部材２４，２４に設けた係合穴２７，２７のフック穴部２７ｄ，２７ｄ，・・・を六ヶ所とし、略々水平な状態を含む六段階の所定の回動状態で、側部ボトム５，５を保持可能にしている。しかしながら、前記フック穴部２７ｄ，２７ｄ，・・・を増やしたり減らしたりすることには何ら問題はなく、本実施例に限定するものではない。なお、その際、本実施例の保持手段７，７と同様の作用と効果を得るためには、基部材２４，２４に設ける係合穴を、少なくとも側部ボトム５，５を略々水平な状態で保持するフック穴部２７ｄ，２７ｄと第一長穴部２７ａ，２７ａの下端部を連続すると共に、該第一長穴部２７ａ，２７ａの下端部とフ形穴部２７ｂ，２７ｂの上端部を連続した構成とする。さらに、前記フック穴部２７ｄ，２７ｄの上方側に少なくとも一つの第一長穴部２７ａ，２７ａと連続するフック穴部２７ｄ，２７ｄを設けると共に、下方側に少なくとも一つの前記フ形穴部２７ｂ，２７ｂ下端部と連続するフック穴部２７ｄ，２７ｄを設けた構成に前記係合穴をしておけば良い。
また、本実施例では、側部ボトム５，５の回動に中間ボトム６が連動する構成としているが、前記保持手段７，７は、所定の回動状態で側部ボトム５，５を適宜保持するのものであることから、側部ボトム５，５を回動したときに中間ボトム６が動かない形態の入浴用ストレッチャーにも適用可能である。さらに、そのような形態の入浴用ストレッチャーに保持手段７，７を用いる場合には、例えば、中間ボトムの後部側に立上り部を設け、該立上り部と側部ボトム５，５間に保持手段７，７を設けることも可能である。すなわち、中間ボトムと側部ボトム５，５間に保持手段７，７を設けても良い。
さらに、本実施例では、保持手段７，７を側部ボトム５，５と支持フレーム４間に構成している。しかしながら、ステー部材等を介して保持手段７，７の基部材２４，２４をマスト３の外マスト３ａに固定することで、マスト３と側部ボトム５，５間に保持手段７，７を構成することも可能である。すなわち、入浴用ストレッチャーは、入浴者の乗るボトムを中間ボトム６の両側部に側部ボトム５，５を連設した構成とすると共に少なくとも側部ボトム５，５を上下回動可能になるよう構成し、該側部ボトム５，５を保持する保持手段７，７が設けられたものであれば良い。
【００３０】
また、支持フレーム４の前記支持柱４ｃ，４ｃ上部間には手摺４２が設けられている（図１及び図２参照。）。この手摺４２は、図１０の（ｂ）から（ｅ）に示すように、ボトム５，５，６上に乗っている入浴者の前方向への転落を防止するものである。
【００３１】
次に、このように構成された入浴用ストレッチャー１の使用例を説明する。
まず、ボトム５，５，６上に入浴者を乗せるときには、手摺４２を上方回動して図１０の（ａ）中二点鎖線で示す状態とし、その後、ボトム５，５，６上に入浴者を乗せる。そして、手摺４２を下方回動して図１０の（ａ）中実線で示す状態として、入浴者の前方向への転落を防止する。なお、このとき、頭受け１０を組付けた側部ボトム５に入浴者の背部が位置するように入浴者を乗せ、該側部ボトム５を背ボトムとして用い、他方の側部ボトム５を脚ボトムとして用いる。
次に、入浴者を入浴させる姿勢にあわせて、背ボトム５を図１０の（ｂ）に示す上方回動状態にしたり、図１０の（ｃ）に示すように、背ボトム５を上方回動状態にすると共に脚ボトム５を下方回動状態にしたりする。
そして、入浴者の洗体を行った後等に、マスト３の昇降手段（図示省略）を動作させ、ボトム５，５，６ごと入浴者を浴槽内に移動して、入浴者を入浴させる。
また、この入浴用ストレッチャー１は、浴室の構成に合わせて、背ボトムとして用いたい側部ボトム５に頭受け１０を組付けると共に他方の側部ボトム５に足柵１１を組付けることで、図２や図１０の（ｂ）や（ｃ）に示す状態とは逆に図１０の（ｄ）や（ｅ）に示す状態として使用することも可能である。
【００３２】
さらに、この入浴用ストレッチャー１は、保持手段７，７のロック手段２６，２６の操作レバー３３，３３を側部ボトム５，５の下方へ突出するように設けている。このことから、図１１の（ａ）に示すように、各ボトム５，５，６が略々水平な状態で、ボトム５，５，６を浴槽Ｂ上方に配置する。なお、このとき、浴槽Ｂに傾斜部Ｉが設けられている場合には、該傾斜部Ｉ側上方に背ボトムとして用いる側部ボトム５を位置させる。然る後、マスト３の昇降手段（図示省略）を用いてボトム５，５，６を下方移動して浴槽Ｂ内へ移動する。すると、図１１の（ｂ）に示すように、背ボトム５に設けた前記操作レバー３３を浴槽Ｂ上縁部に接触でき、該操作レバー３３をボトム５，５，６の下方移動に伴って、図中矢印（ハ）方向へ回動できる。これにより、自動的に保持手段７のロック状態が解除され、背ボトム５が上方回動可能な状態になる。そして、ボトム５，５，６の下方移動を継続すると、図１１の（ｃ）に示すように、相対的に浴槽Ｂが背ボトム５を上方へ押し上げる。すると、背ボトム５は浴槽Ｂ上縁部に沿って上方回動される。これと共に、背ボトム５は浴槽Ｂによって上方回動状態で保持される。すなわち、あらかじめ浴槽Ｂの形状にあわせて背ボトム５を上方回動しておく必要がないことから、介護者の手間が省ける。また、保持手段７，７は、ロック状態を解除しただけでは、側部ボトム５，５を略々水平な状態から下方回動できない構成となっている。このことから、上述のように使用した後でボトム５，５，６を浴槽Ｂ上方へ移動したときに、背ボトム５が下方回動状態になることはない。したがって、このように入浴用ストレッチャー１を用いても安全である。
【００３３】
また、図１２に示すように、側面視において略々コ字形状とした連結部４３ａを一端部に設けたレバー部材４３の他端部にボス部材４３ｂを設け、該ボス部材４３ｂを前記頭受け１０のフレーム１０ｂに軸材４４で回動可能に組付けてなる延長手段４５を、該頭受け１０に設ける。そして、背ボトムとして用いたい側部ボトム５に頭受け１０を組付けるときに、該側部ボトム５に設けた保持手段７のロック手段２６の操作レバー３３を延長手段４５の前記連結部４３ａに摺動可能に嵌入しておく。そして、図１２の（ａ）に示す状態からボトム５，５，６を下方移動して浴槽Ｂ内へ移動する。すると、図１２の（ｂ）に示すように、延長手段４５のレバー部材４３を浴槽Ｂ上縁部に接触でき、ボトム５，５，６の下方移動に伴って軸材４４を中心に該レバー部材４３を図中矢印（二）方向へ回動できる。これにより、ロック手段２６の前記操作レバー３３が前記レバー部材４３の連結部４３ａを摺動しながら図中矢印（二）方向へ回動される。つまり、自動的に保持手段７のロック状態が解除される。すなわち、上述と同様の作用と効果を得ることができる。また、この延長手段４５によると、浴槽Ｂ内へボトム５，５，６を移動したときに、浴槽Ｂ上縁部にロック手段２６の操作レバー３３が届かない場合でも、該操作レバー３３を回動操作できる。したがって、各ボトム５，５，６が略々水平な状態でのボトム５，５，６の左右方向の長さより、浴槽Ｂの左右方向の長さが長い場合であっても、上述のようにして入浴用ストレッチャー１を用いることが可能になる（図１２の（ａ）参照。）。
なお、前記延長手段４５のレバー部材４３や保持手段７，７の操作レバー３３，３３の下面側にスラシ部材等の緩衝部材（図示省略）を設けておくと、上述のように入浴用ストレッチャー１を用いるときに、浴槽Ｂを傷つけることを防げる。また、浴槽Ｂ内にボトム５，５，６を移動するときに、該浴槽Ｂが昇降手段（図示省略）を備えている場合には、該昇降手段を用いて浴槽Ｂを昇降しても上述と同様の作用と効果を得ることができる。
【産業上の利用可能性】
【００３４】
この入浴用ストレッチャー１は、ベッドから診察台や車等に人を搬送する場合や、時には診察台の代わりとして用いたりするストレッチャーとしても適用可能である。また、そのような用途においてのみ用いるストレッチャーとする場合は、この入浴用ストレッチャー１のように支持フレーム４とマスト３との間に前記空間Ｓを設ける必要がないので、マスト３に支持フレーム４を組付けたときに空間Ｓが形成されない構成として良い。
【図面の簡単な説明】
【００３５】
【図１】入浴用ストレッチャーを示す平面図。
【図２】その正面図。
【図３】側部ボトムと中間ボトム及び保持手段の構成を示す部分平面図。
【図４】保持手段の構成を示す部分背面図。
【図５】保持手段の作用を示す部分背面図（１）。
【図６】保持手段の作用を示す部分背面図（２）。
【図７】側部ボトムを上方回動するときの保持手段の作用を示す説明図。            （ａ）その部分背面図（１）。                                                （ｂ）その部分背面図（２）。
【図８】側部ボトムを下方回動するときの保持手段の作用を示す説明図。            （ａ）その部分背面図（１）。                                                （ｂ）その部分背面図（２）。
【図９】連動機構と規制手段の作用を示す説明図。                                （ａ）その部分正面図（１）。                                                （ｂ）その部分正面図（２）。                                                （ｃ）その部分正面図（３）。
【図１０】入浴用ストレッチャーの使用例を示す説明図（１）。
【図１１】入浴用ストレッチャーの使用例を示す説明図（２）。
【図１２】延長手段を備えた入浴用ストレッチャーの使用例を示す正面図。
【符号の説明】
【００３６】
１      入浴用ストレッチャー
２      ベース
３      マスト
５      側部ボトム
６      中間ボトム
７      保持手段
１０    頭受け
２５    連結杆
２６    ロック手段
３３    操作レバー
４３    レバー部材
４３ａ  連結部
４５    延長手段
【図１】
2008005858.tif 000003
【図２】
2008005858.tif 000004
【図３】
2008005858.tif 000005
【図４】
2008005858.tif 000006
【図５】
2008005858.tif 000007
【図６】
2008005858.tif 000008
【図７】
2008005858.tif 000009
【図８】
2008005858.tif 000010
【図９】
2008005858.tif 000011
【図１０】
2008005858.tif 000012
【図１１】
2008005858.tif 000013
【図１２】
2008005858.tif 000014